(57)【特許請求の範囲】
【請求項１】
絶縁ハウジングを貫通するコンタクト挿入通路の内部に収容された状態に取り付けられて前記コンタクト挿入通路の貫通方向に互いに対向する一対のコンタクトの端部同士が接触するように配置され、
前記絶縁ハウジングに設けられた挿入穴を通して挿入された相手コネクタの当接押圧力によって、前記一対のコンタクトのうちの一方のコンタクトが前記当接押圧方向に移動して、他方のコンタクトから離間されるように構成されたものであって、
前記一方のコンタクトが、前記絶縁ハウジングに係止された固定基部と、その固定基部から片持ち状をなして一体的に延出する弾性ビーム状部材と、を有するスイッチ付同軸コネクタにおいて、
前記一方のコンタクトの弾性ビーム状部材と前記固定基部との連結部分に、側面略円弧状の湾曲形状をなして前記コンタクト挿入通路の内壁面に向かって突出する折曲状延在部が形成され、
前記折曲状延在部における側面略円弧状の湾曲形状は、前記固定基部から、前記コンタクト挿入通路の貫通方向に対して斜め方向に延出した後に、当該湾曲形状の頂点に達してから、前記弾性ビーム状部材に向かって反対の斜め方向に延出する連続的な形状をなすものであって、
当該折曲状延在部の頂点が、前記コンタクト挿入通路の内壁面に対して近接又は接触するように配置されているとともに、
前記弾性ビーム状部材には、前記折曲状延在部の少なくとも一部を含む領域に貫通孔が形成されていることを特徴とするスイッチ付同軸コネクタ。
【請求項２】
前記貫通孔は、前記折曲状延在部における湾曲形状の頂部から前記弾性ビーム状部材の長手方向に沿って延出する長孔形状をなすように形成されていることを特徴とする請求項１記載のスイッチ付同軸コネクタ。
【請求項３】
前記固定基部には、当該固定基部の両側に延在する固定延設片が設けられ、
それらの両固定延設片が、前記弾性ビーム状部材の長手方向に突出するように形成されていることを特徴とする請求項１記載のスイッチ付同軸コネクタ。
【発明の詳細な説明】
【技術分野】
【０００１】
本発明は、相手コネクタが嵌合されることによって離間状態になされる一対のコンタクトを備えたスイッチ付同軸コネクタに関する。
【背景技術】
【０００２】
一般に、携帯電話などのような電子機器又は電気機器にスイッチ付同軸コネクタが用いられている。このスイッチ付同軸コネクタは、例えば、機器内に設けられた高周波回路等の各種電子回路の状態や性能を検査するための小型回路検査スイッチなどとして用いられるものであるが、下記の特許文献１及び２等に開示された回路検査スイッチは、機器本体の電子回路を分断するように回路基板上に実装されたスイッチ付同軸コネクタからなるものであって、当該スイッチ付同軸コネクタに設けられた相手挿入穴を通して、相手コネクタとして検査用プラグコネクタのプローブ（検査針）が、上方側から内部に挿入される構成になされている。
【０００３】
このようなスイッチ付同軸コネクタでは、絶縁ハウジングの外方側に、グランド接続用の導電性シェルが取り付けられており、その導電性シェルから一体的に突出する複数の基板接続部が、図示を省略した配線基板上の導電路に半田接合されることにより実装が行われて使用される構成になされている。このときの前記絶縁ハウジングの内部には、信号伝送用の可動コンタクトと固定コンタクトとからなるコンタクト対が取り付けられていて、それら一対の可動コンタクト及び固定コンタクトが、機器本体に設けられた電子回路（図示省略）の一方側及び他方側にそれぞれ接続されている。
【０００４】
そして、そのスイッチ付同軸コネクタに対して、上方側から挿入された検査用プラグコネクタのプローブ（検査針）の先端部分が、略水平面内で揺動する前記可動コンタクトの自由端部分を押し開くように圧接し、それによって可動コンタクトが揺動して固定コンタクトから離間されて本来の電子回路が分断される。また、それと同時に、可動コンタクト１がプローブの下端部分に接触し、それによって機器本体の他の電子回路にプローブが導通状態となり、当該プローブを通して、電子回路からの電気信号が外部に取り出されることにより、例えば適宜の検査が実行されるようになっている。
【０００５】
しかしながら、このような従来のスイッチ付同軸コネクタにおいては、検査用プラグコネクタのプローブ（検査針）が挿入された際、特に繰り返し挿入された場合に、コンタクトに塑性（永久）変形を生じるおそれがあり、電気的な接続性に問題を生じる場合がある。このような塑性変形を防止するため、コンタクトのスパンを長くして弾性を高める手段も考えられているが、単にコンタクトを長くしただけではコネクタ全体の大型化を招来してしまい、近年の小型化や低背化の要請に反することとなる。また、使用雰囲気中に存在する微小ゴミや絶縁物等の塵埃が、検査用プラグコネクタのプローブ（検査針）の挿入穴を通して内部に侵入し、電気的な接続不良を発生させるおそれがあるという問題もある。
【先行技術文献】
【特許文献】
【０００６】
【特許文献１】特開平０９−２４５９０７号公報
【特許文献２】特開２００２−３５９０３９号公報
【発明の概要】
【発明が解決しようとする課題】
【０００７】
そこで本発明は、簡易な構成で、大型化を回避しつつコンタクトの塑性変形を良好に防止するとともに、内部に侵入した塵埃による電気的な接続不良の発生を良好に防止することができるようにしたスイッチ付同軸コネクタを提供することを目的とする。
【課題を解決するための手段】
【０００８】
上記目的を達成するため本発明では、絶縁ハウジングを貫通するコンタクト挿入通路の内部に収容された状態に取り付けられて前記コンタクト挿入通路の貫通方向に互いに対向する一対のコンタクトの端部同士が接触するように配置され、前記絶縁ハウジングに設けられた挿入穴を通して挿入された相手コネクタの当接押圧力によって、前記一対のコンタクトのうちの一方のコンタクトが前記当接押圧方向に移動して、他方のコンタクトから離間されるように構成されたものであって、前記一方のコンタクトが、前記絶縁ハウジングに係止された固定基部と、その固定基部から片持ち状をなして一体的に延出する弾性ビーム状部材と、を有するスイッチ付同軸コネクタにおいて、前記一方のコンタクトの弾性ビーム状部材と前記固定基部との連結部分に、側面略円弧状の湾曲形状をなして前記コンタクト挿入通路の内壁面に向かって突出する折曲状延在部が形成され、前記折曲状延在部における側面略円弧状の湾曲形状は、前記固定基部から、前記コンタクト挿入通路の貫通方向に対して斜め方向に延出した後に、当該湾曲形状の頂点に達してから、前記弾性ビーム状部材に向かって反対の斜め方向に延出する連続的な形状をなすものであって、当該折曲状延在部の頂点が、前記コンタクト挿入通路の内壁面に対して近接又は接触するように配置されているとともに、前記弾性ビーム状部材には、前記折曲状延在部の少なくとも一部を含む領域に貫通孔が形成された構成が採用されている。
【０００９】
このような構成を有するスイッチ付同軸コネクタによれば、弾性ビーム状部材に設けられた折曲状延在部が、側面略円弧状をなしてコンタクト挿入通路の内壁面に向かって突出する湾曲形状をなしている分だけ、当該弾性ビーム状部材の経路が伸びてスパン長が実質的に拡大されることとなり、コンタクトの弾性が十分に確保されてコンタクトの塑性変形の発生が防止される。また、弾性ビーム状部材の弾性変位の根本部分に折曲状延在部が設けられていることから、弾性ビーム状部材の根本部分に発生しようとする弾性変位の応力集中が、折曲状延在部に沿って拡散されることとなり、コンタクト全体の応力分布がより均一化されるように改善される。
【００１０】
このとき、折曲状延在部の少なくとも一部に貫通孔が形成されていることから、応力集中の拡散が更に良好に行われ、これによってもコンタクトの塑性変形の発生が防止されるとともに、機外から内部に侵入した塵埃が貫通孔を通して落下され、電気的な導通性が良好に確保される。
【００１２】
さらに、このような構成からなるスイッチ付同軸コネクタによれば、コンタクト挿入通路の内壁面とコンタクトとの隙間が、側面略円弧状をなしてコンタクト挿入通路の内壁面に向かって突出する折曲状延在部の湾曲頂部により狭められるため、コンタクト挿入通路を通して侵入しようとするゴミ等の塵埃が、折曲状延在部で堰き止められて接点部の機能が良好に維持される。
【００１３】
また、本発明において、前記貫通孔は、前記折曲状延在部における湾曲形状の頂部から前記弾性ビーム状部材の長手方向に沿って延出する長孔形状をなすように形成されていることが望ましい。
【００１４】
このような構成からなるスイッチ付同軸コネクタによれば、折曲状延在部における湾曲形状の頂部から貫通孔が延出しているために、上述した集中応力の拡散が効率的に行われる。
【００１５】
また、本発明において、前記固定基部には、当該固定基部の両側に延在する固定延設片が設けられ、それらの両固定延設片が、前記弾性ビーム状部材の長手方向に突出するように形成されていることが望ましい。
【００１６】
このような構成からなるスイッチ付同軸コネクタによれば、固定延設片による固定力が固定基部に付加されることとなり、それによって弾性ビーム状部材の全体が、より安定的に保持され、接点部の機能が良好に維持される。
【発明の効果】
【００１７】
以上述べたように本発明にかかるスイッチ付同軸コネクタは、絶縁ハウジング内で片持ち状に延出する一方のコンタクトの弾性ビーム状部材に、当該弾性ビーム状部材のスパン長を実質的に拡大するように側面略円弧状をなしてコンタクト挿入通路の内壁面に向かって突出する折曲状延在部を、固定基部との連結部分である根本部分に湾曲形状をなすように折り曲げ形成するとともに、その折曲状延在部の少なくとも一部を含む領域に貫通孔を形成し、コンタクトの弾性を高めつつ可撓性を確保してコンタクトの永久変形を防止する一方、機外から内部に侵入した塵埃を貫通穴を通して落下させることにより電気的な導通性を良好に確保し、かつ側面略円弧状をなす折曲状延在部における湾曲形状の頂部をコンタクト挿入通路の内壁面に近接又は接触させて塵埃の侵入を低減する構成としたものであるから、簡易な構成で、大型化を回避しつつコンタクトの塑性変形を良好に防止するとともに、塵埃による電気的な接続不良の発生を良好に防止することができ、スイッチ付同軸コネクタの信頼性を安価かつ大幅に高めることができる。
【図面の簡単な説明】
【００１８】
【図１】本発明の一実施形態にかかる回路検査スイッチを構成しているスイッチ付同軸コネクタの全体構造を正面上方側から見たときの外観斜視説明図である。
【図２】図１に示された本発明の一実施形態にかかるスイッチ付同軸コネクタの全体構造を正面下方側から見たときの外観斜視説明図である。
【図３】図１及び図２に示された本発明の一実施形態にかかるスイッチ付同軸コネクタの平面説明図である。
【図４】図１乃至図３に示された本発明の一実施形態にかかるスイッチ付同軸コネクタの正面説明図である。
【図５】図１乃至図４に示された本発明の一実施形態にかかるスイッチ付同軸コネクタの底面説明図である。
【図６】図１乃至図５に示された本発明の一実施形態にかかるスイッチ付同軸コネクタの背面説明図である。
【図７】図１乃至図６に示された本発明の一実施形態にかかるスイッチ付同軸コネクタの側面説明図である。
【図８】図４中の VIII−VIII 線に沿った縦断面説明図である。
【図９】図１乃至図８に示された本発明の一実施形態にかかるスイッチ付同軸コネクタに用いられている双方のコンタクト同士の配置関係を正面上方側から見たときの外観斜視説明図である。
【図１０】図９に示されたコンタクト同士の配置関係を正面下方側から見たときの外観斜視説明図である。
【図１１】図１乃至図８に示された本発明の一実施形態にかかるスイッチ付同軸コネクタに用いられている一方のコンタクトを後方側の上方から見たときの外観斜視説明図である。
【図１２】図１１に示された一方のコンタクトを後方側の下方から見たときの外観斜視説明図である。
【図１３】図１１及び図１２に示された一方のコンタクトの平面説明図である。
【図１４】図１１及び図１２に示された一方のコンタクトの側面説明図である。
【図１５】図１１及び図１２に示された一方のコンタクトの底面説明図である。
【図１６】図１１及び図１２に示された一方のコンタクトの前方側からの説明図である。
【図１７】図１１及び図１２に示された一方のコンタクトの後方側からの説明図である。
【図１８】図１乃至図８に示された本発明の一実施形態にかかるスイッチ付同軸コネクタに用いられている他方のコンタクトを前方側の上方から見たときの外観斜視説明図である。
【図１９】図１８に示された他方のコンタクトを前方側の下方から見たときの外観斜視説明図である。
【図２０】図１８及び図１９に示された他方のコンタクトの平面説明図である。
【図２１】図１８及び図１９に示された他方のコンタクトの側面説明図である。
【図２２】図１８及び図１９に示された他方のコンタクトの底面説明図である。
【図２３】図１８及び図１９に示された他方のコンタクトの後方側からの説明図である。
【図２４】図１８及び図１９に示された他方のコンタクトの前方側からの説明図である。
【図２５】図８に相当する位置の断面であって、相手コネクタ（検査用プラグコネクタ）が挿入される直前の状態を表した縦断面説明図である。
【図２６】図２５の状態から相手コネクタ（検査用プラグコネクタ）が下方に挿入されて第１のコンタクトに当接した状態を表した縦断面説明図である。
【図２７】図２６の状態から相手コネクタ（検査用プラグコネクタ）の下方挿入が完了した状態を表した縦断面説明図である。
【発明を実施するための形態】
【００１９】
以下、本発明にかかるスイッチ付同軸コネクタを回路検査スイッチとして採用した実施形態を図面に基づいて詳細に説明する。
【００２０】
［回路検査スイッチの全体構造について］
まず、図１〜図８に示された本発明の第１の実施形態にかかるスイッチ付同軸コネクタ１０は、図示を省略した配線基板上に実装されるものであって、当該スイッチ付同軸コネクタ１０に対して、相手コネクタとしての検査用プラグコネクタ２０（図２５〜図２７参照）が上方側から嵌合され、又は上方側に向かって抜出される構成になされている。すなわち、そのスイッチ付同軸コネクタ１０の上方側に配置された検査用プラグコネクタ２０が、作業者の手で把持されながら下方側のスイッチ付同軸コネクタ１０に向かって適宜の力で押し込まれ、それによって両コネクタ同士が嵌合された装着状態になされる。また、その両コネクタの装着状態から検査用プラグコネクタ２０を把持して上方側に適宜の力で引き上げれば、当該検査用プラグコネクタがスイッチ付同軸コネクタ１０から上方に離脱して抜出が行われる。なお、検査用プラグコネクタ２０は作業者の手で挿抜されることに限らず、機械によって自動的に挿抜されてもよい。以下、この検査用プラグコネクタの挿入方向及び抜出方向を、それぞれ「下方向」及び「上方向」とする。
【００２１】
このような回路検査スイッチの組立体を構成しているスイッチ付同軸コネクタ１０は、例えば携帯電話等の電子機器に設けられた電子回路基板（図示省略）上に半田付けにより実装されて使用され、その電子機器に設けられた電子回路を、例えば機器本体側とアンテナ側とを分断又は接続するように配置される。
【００２２】
［絶縁ハウジングについて］
図２５〜図２７にも示されているように、上述したスイッチ付同軸コネクタ１０の本体部を構成している絶縁ハウジング１１は、プラスチック等の樹脂材を用いて例えばモールド成形されたものであって、平面略矩形状の板状部材からなるベース枠体部１１ａと、そのベース枠体部１１ａの上面中央部分に配置された挿入ガイド部１１ｂとを一体的に有している。
【００２３】
挿入ガイド部１１ｂは、上述したベース枠体部１１ａの上側表面から略円筒状をなして上方に立ち上がるように形成されている。この挿入ガイド部１１ｂの内周側表面は、略すり鉢状をなすように形成されており、当該挿入ガイド部１１ｂの上端縁部分に形成された円環状外縁部から、中心部分に相手挿入穴として設けられたプローブ挿入穴１１ｃの上面側開口部に向かって斜め下方に延在する傾斜ガイド面１１ｄが形成されている。この傾斜ガイド面１１ｄは、前述した検査用プラグコネクタ２０に設けられたプローブ２０ａをプローブ挿入穴１１ｃに向かって案内する機能を有するものであって、検査用プラグコネクタ２０のプローブ２０ａがプローブ挿入穴１１ｃの真上に配置されていない場合であっても、傾斜ガイド面１１ｄの傾斜面上にプローブの先端部が当接されれば、プローブ２０ａの先端部が傾斜ガイド面１１ｄに沿って下方に滑り落ちるように移動され、プローブ挿入穴１１ｃまで円滑に案内されるようになっている。
【００２４】
相手挿入穴として設けられたプローブ挿入穴１１ｃは、上述したように挿入ガイド部１１ｂの上端開口部からベース枠体部１１ａの中心軸に沿って下方に延出しており、絶縁ハウジング１１の正面と背面との間を貫通するように設けられたコンタクト挿入通路１１ｅに対して上方側から開口するように設けられている。このプローブ挿入穴１１ｃは、後述する一方のコンタクト１２の頂上に位置するように配置されていて、検査用プラグコネクタ２０のプローブ２０ａを挿入可能とする内径を有する大きさの平面略円形状をなすように形成されている。また、当該プローブ挿入穴１１ｃの上面側開口部の周囲には、上述した挿入ガイド部１１ｂが略同心状をなすように配置されている。
【００２５】
［コンタクトについて］
一方、図９〜図２４にも示されているように、絶縁ハウジング１１のベース枠体部１１ａに設けられたコンタクト挿入通路１１ｅの内部には、信号伝送用の第１コンタクト（一方のコンタクト）１２、及び第２コンタクト（他方のコンタクト）１３が、上述した検査用プラグコネクタ（相手コネクタ）２０の挿入・抜去の方向（上下方向）に対して略直交する水平方向に、互いに対向するように挿入されて取り付けられている。以下、これらの第１コンタクト１２及び第２コンタクト１３同士が対向する方向を、単に「コンタクト対向方向」と呼び、また、各コンタクト１２，１３の個々において、相手側に向かっている方向を「前方」、その反対方向を「後方」とする。
【００２６】
これらの第１コンタクト１２及び第２コンタクト１３は、いわゆるコンタクト対を構成するものであって、絶縁ハウジング１１の正面・背面の両端面側からコンタクト挿入通路１１ｅの内部に対面するように挿入され、それら両コンタクト１２，１３同士が互いに弾性的に接触した状態となるように絶縁ハウジング１１に取り付けられている。このときの両コンタクト１２，１３同士の接触状態は、後述するように検査用プラグコネクタ２０の嵌合によって解除されて離間状態になされる。
【００２７】
ここで、上述した第１コンタクト１２は、可撓性を有する弾性ビーム状部材１２ａを有しているが、第２コンタクト１３は、固定状態になされた固定ビーム状部材１３ａを有している。それらの弾性ビーム状部材１２ａ及び固定ビーム状部材１３ａは、後述するように絶縁ハウジング１１に、ほぼ固定状態に保持された固定基板１２ｂ，１３ｂからコンタクト対向方向である前方に向かって片持ち状に延出している。これらの弾性ビーム状部材１２ａ及び固定ビーム状部材１３ａの具体的な構造については、後段において詳細に説明する。
【００２８】
［固定基板について］
固定基板１２ｂ，１３ｂは、略水平に延在する板状部材から形成されており、当該固定基板１２ｂ，１３ｂの両側縁部、すなわちコンタクト対向方向と直交する板幅方向の両端部からは、絶縁ハウジング１１に対する固定部としての固定延設片１２ｃ，１３ｃが、両側外方に向かって略水平に延出している。これらの固定延設片１２ｃ，１３ｃは、固定基板１２ｂ，１３ｂの両側外方において、後述する弾性ビーム状部材１２ａ及び固定ビーム状部材１３ａに沿うようにして前後方向に略水平に突出するように形成されており、絶縁ハウジング１１の壁面に溝状をなすように凹設された固定溝部に対して圧入されている。そして、これら固定延設片１２ｃ，１３ｃの絶縁ハウジング１１に対する係合力によって第１コンタクト１２及び第２コンタクト１３の全体の保持が行われている。
【００２９】
このように、本実施形態においては、固定基部１２ｂ，１３ｂを保持する固定延設片１２ｃ，１３ｃが、固定基部１２ｂ，１３ｂの両側において弾性ビーム状部材１２ａ及び固定ビーム状部材１３ａの長手方向に突出するように形成されていることから、当該固定延設片１２ｃ，１３ｃの固定力で固定基部１２ｂ，１３ｂが強固に支持され、それによって弾性ビーム状部材１２ａ及び固定ビーム状部材１３ａの後述する弾性変位及び保持性に対する支持力が高められ、弾性ビーム状部材１２ａ及び固定ビーム状部材１３ａの全体が、より安定的に保持されて接点部の機能が良好に維持されるようになっている。
【００３０】
また、各固定延設片１２ｃ，１３ｃが固定基板１２ｂ，１３ｂと連結されている両部材同士の連結境界部分には、コンタクト対向方向に沿って延在する切欠き部１２ｄ，１３ｄが、それぞれ形成されている。それらの切欠き部１２ｄ，１３ｄは、平面略Ｕ字形状をなす細幅の溝形状をなすように形成されていて、弾性ビーム状部材１２ａ側の切欠き部１２ｄは、当該弾性ビーム状部材１２ａの根本部分を前方側及び後方側から後方側及び前方側に向かって所定の長さだけ切り込むようにして形成されている。また、固定ビーム状部材１３ａ側の切欠き部１３ｄは、当該弾性ビーム状部材１３ａの後方側の根本部分を後方側から前方側に向かって所定の長さだけ切り込むようにして形成されている。
【００３１】
このうち、弾性ビーム状部材１２ａに設けられた前方側の切欠き部１２ｄは、片持ち状をなす弾性ビーム状部材１２ａの根本位置を決定している。すなわち、当該弾性ビーム状部材１２ａは、前方側に設けられた切欠き部１２ｄの奥側（後端側）溝端Ｐ１を起点として、固定基板１２ｂから前方側に向かって片持ち状をなして一体的に延出しており、前方側の切欠き部１２ｄの溝端Ｐ１と、後方側の切欠き部１２ｄの溝端Ｐ２との間部分Ｌが、固定基板１２ｂの前後方向における中実肉厚領域になされている。この固定基板１２ｂを構成している中実肉厚領域における前後方向の寸法Ｌは、上述した検査用プラグコネクタ（相手コネクタ）２０の押圧力に抗して第１コンタクト１２の全体を良好に保持可能とする剛性を備えるように決定されている。
【００３２】
さらに、各固定基板１２ｂ，１３ｂにおいては、弾性ビーム状部材１２ａ及び固定ビーム状部材１３ａが突出している端縁部と反対側の端縁部分、すなわち第１コンタクト１２の固定基板１２ｂ及び第２コンタクト１３の固定基板１３ｂにおける後端縁部分のそれぞれが、下方略直角に折り曲げ形成されており、その略直角下方折り曲げ部分の下端部分から、基板接続部１２ｅ，１３ｅが、コネクタ対向方向である前方側に向かって略水平に延出している。そして、これらの基板接続部１２ｅ，１３ｅの下面が、上述した配線基板上に設けられた信号伝送用の導電路に半田接合されることで実装が行われるようになっている。
【００３３】
［弾性ビーム状部材及び固定ビーム状部材について］
一方、前述した第１コンタクト１２の弾性ビーム状部材１２ａ、及び第２コンタクト１３の固定ビーム状部材１３ａは、互いに近接するように突出する片持ち状の帯状バネ部材から形成されている。そのうちの第２コンタクト１３の固定ビーム状部材１３ａは、上述した固定基板１３ｂの前端縁部から、相手側の第１コンタクト１２に向かって直接的に延出する構成になされている。これに対して、第１コンタクト１２の弾性ビーム状部材１２ａは、固定基板１２ｂの前端縁部から折曲状延在部１２ａ１が一体的に延出しているとともに、その折曲状延在部１２ａ１から前方側、つまり相手側の第２コンタクト１３側に向かって傾斜状延在部１２ａ２が一体的に延出する構成になされている。
【００３４】
ここで、前述したように本実施形態における第１コンタクト１２の弾性ビーム状部材１２ａは、前方側の切欠き部１２ｄにおける奥側（後端側）溝端Ｐ１を起点として相手側の第２コンタクト１３側に片持ち状に延出する構成になされ、その片持ち状部材からなる弾性ビーム状部材１２ａの根本部分における延出起点である溝端Ｐ１の位置が、上述したように固定基板１２ｂが十分な剛性を有するように決定されているが、その溝端Ｐ１の位置に対して、弾性ビーム状部材１２ａが十分な弾性を備える程度のスパン長を有するように構成されている。
【００３５】
すなわち、前方側切欠き部１２ｄの溝端Ｐ１から片持ち状に延出している弾性ビーム状部材１２ａは、前方側の切欠き部１２ｄの溝端Ｐ１から当該弾性ビーム状部材１２ａの先端部に至るまでの片持ちのスパン長が、上述した折曲状延在部１２ａ１が設けられていることによって実質的に拡大されるように構成されている。より具体的に説明すると、第１コンタクト１２の弾性ビーム状部材１２ａにおいては、上述した固定基板１２ｂの前端部との連結部分、つまり切欠き部１２ｄの奥側（後端側）溝端Ｐ１を起点として片持ち状に延出している根本部分に、折曲状延在部１２ａ１が設けられているとともに、その折曲状延在部１２ａ１の前方側に一体的に連設された直線状延在部１２ａ２が、相手側の第２コンタクト１３側に向かって上方に傾斜しながら直線状に延出する構成になされている。
【００３６】
そのうちの折曲状延在部１２ａ１は、側面略円弧状をなすように折り曲げ形成されており、固定基板１２ｂの前端部から斜め上方に湾曲形状をなして前方側に延出した後に、当該湾曲形状の頂点Ｐ３に達してから、再び斜め下方に連続的な湾曲形状をなして延びており、その折曲状延在部１２ａ１の前端部が、直線状延在部１２ａ２に対して一体的に繋げられている。このような弾性ビーム状部材１２ａの全体は、固定基板１２ｂとの連結部分である折曲状延在部１２ａ１を根本部分、より具体的には片持ちの起点である切欠き部１２ｄの奥側（後端側）溝端Ｐ１又はその近傍を支点とした弾性的な可撓性を有し、前記支点を中心とした上下方向に揺動可能な構成になされている。
【００３７】
また、このときの第１コンタクト１２は、前述したように絶縁ハウジング１１に形成されたコンタクト挿入通路１１ｅの内部に収容されるようにして取り付けられているが、上述した折曲状延在部１２ａ１の湾曲形状の頂点Ｐ３は、コンタクト挿入通路１１ｅの内壁面に対して近接又は接触するように配置されている。このように、コンタクト挿入通路１１ｅの内壁面と第１コンタクト１２との隙間が、折曲状延在部１２ａ１の湾曲形状の頂点Ｐ３により狭められていれば、コンタクト挿入通路１１ｅを通して外部から侵入しようとするゴミ等の塵埃が、折曲状延在部１２ａ１で堰き止められることとなり、その結果、後述する接点部の機能が良好に維持される。
【００３８】
また、弾性ビーム状部材１２ａの先端側部分を構成している直線状延在部１２ａ２は、上述したように折曲状延在部１２ａ１の延出端から前方側上方に向かって略直線状に斜めに延在しているが、当該直線状延在部１２ａ２の延出側の先端部分に接点部が設けられている。この第１コンタクト１２の弾性ビーム状部材１２ａに設けられた接点部は、後述する第２コンタクト１３の固定ビーム状部材１３ａに設けられた接点部に対して下方側から接触されていて、これらの両接点部が、弾性ビーム状部材１２ａの弾性付勢力によって弾性的な接触・離間が行われるようになっている。
【００３９】
このような第１コンタクト１２の弾性ビーム状部材１２ａは、前述したプローブ挿入穴１１ｃの直下位置に延在するように配置されており、当該プローブ挿入穴１１ｃの下端開口部が、弾性ビーム状部材１２ａの途中部分に上方側から臨む位置関係になされている。そして、特に図２５に示されているように、検査用プラグコネクタ２０が上方側に配置されて、当該検査用プラグコネクタ２０のプローブ２０ａがプローブ挿入穴１１ｃを通してコネクタ内部に挿入されると、図２６に示されているように、プローブ挿入穴１１ｃから下方に突出したプローブ２０ａが、第１コンタクト１２の弾性ビーム状部材１２ａの途中部分に上方側から当接する。さらに、図２７に示されているように、検査用プラグコネクタ２０が下方に押し下げられると、第１コンタクト１２の弾性ビーム状部材１２ａに設けられた接点部が、プローブ２０ａの押圧力によって、第２コンタクト１３の弾性ビーム状部材１３ａに設けられた接点部から下方に離間されるようになっている。
【００４０】
このとき、第１コンタクト１２の弾性ビーム状部材１２ａの途中位置、すなわち検査用プラグコネクタ２０のプローブ２０ａが当接する位置には、当該検査用プラグコネクタ２０のプローブ２０ａが上方側から接触する貫通穴１２ａ３がスリット状をなすように形成されている。この貫通穴１２ａ３は、弾性ビーム状部材１２ａの長手方向に沿って細長状に延在する長穴から形成されており、上述したプローブ挿入穴１１ｃの直下位置から前後方向に延在するように設けられている。
【００４１】
このように第１コンタクト１２の弾性ビーム状部材１２ａに貫通穴１２ａ３を設けておけば、検査用プラグコネクタ２０が嵌合されていないときに開放状態にあるプローブ挿入穴（相手挿入穴）１１ｃを通して内部に進入するゴミ等の塵埃が、特に弾性ビーム状部材１２ａの傾斜面に沿って下方に案内されていき、貫通穴１２ａ３を通して下方に落下することにより排出される。その結果、第１コンタクト１２や第２コンタクト１３の上に塵埃が蓄積することがなくなり、第１コンタクト１２と第２コンタクト１３との電気的な導通性が塵埃により妨げられるおそれが低減される。
【００４２】
また、上述した貫通穴１２ａ３の開口縁部には、検査用プラグコネクタ２０のプローブ２０ａに接触する傾斜面が設けられており、当該貫通穴１２ａ３の開口縁部が、検査用プラグコネクタ２０のプローブ２０ａの先端側部分に形成された湾曲面に対して略接線方向に接触して、当該貫通穴１２ａ３の対角線方向の両側からプローブ２０ａと多点的に当接されるようになっている。
【００４３】
このとき、本実施形態における第１コンタクト１２の弾性ビーム状部材１２ａに設けられた貫通穴１２ａ３は、上述したプローブ挿入穴（相手挿入穴）１１ｃの直下位置から後方側に延びて、上述した折曲状延在部１２ａ１の少なくとも一部を含む領域まで延出している。より具体的には、本実施形態における貫通穴１２ａ３の後端側（図８の左端側）部分は、直線状延在部１２ａ２が有する湾曲形状の頂点Ｐ３に至るまで延びている。このように本実施形態における第１コンタクト１２に設けられた貫通穴１２ａ３は、折曲状延在部１２ａ１における頂部Ｐ３から弾性ビーム状部材１２ａの長手方向に沿って延出する長穴形状をなすように形成されている。
【００４４】
このような構成を有する第１コンタクト１２に対して、第２のコンタクト１３の固定ビーム状部材１３ａは、固定基板１３ｂの前端縁部から相手側の第１コンタクト１２に向かって直接的に延出する構成になされているため、剛性を有する部材となっている。すなわち、当該第２コンタクト１３の固定ビーム状部材１３ａは、特に図１８〜図２４に示されているように、固定基板１３ｂの前端縁部から相手側の第１コンタクト１２に向かうコネクタ対向方向の前方側に略水平に延在しているが、当該固定ビーム状部材１３ａの全体は、幅広かつ短長に形成されていることによって揺動しない構成になされている。
【００４５】
この第２コンタクト１３における固定ビーム状部材１３ａの前端部分には、下方に向かって突出する接点部１３ｆが設けられており、当該第２コンタクト１３の接点部１３ｆが、前述したように第１コンタクト１２の固定ビーム状部材１２ａに設けられた接点部に対して上方側から接触する配置関係になされている。これらの両接点部は、弾性ビーム状部材１２ａの弾性付勢力によって弾性的な接触が行われ、第１のコンタクト１２を構成している弾性ビーム状部材１２ａの接点部が、第２のコンタクト１３を構成している固定ビーム状部材１３ａの接点部１３ｆに対して下方側から掬い上げるように接触する構成になされている。
【００４６】
以上のように本実施形態においては、第１コンタクト１２の弾性ビーム状部材１２ａに折曲状延在部１２ａ１が設けられているため、その折曲状延在部１２ａ１の湾曲形状分だけ弾性ビーム状部材１２ａの経路が伸びてスパン長が実質的に拡大されており、それによって第１コンタクト１２の弾性が十分に確保され、第１コンタクト１２の塑性変形の発生が防止される。その結果、コネクタの小型化・低背化が行われた場合であっても、両コンタクト１２，１３の永久変形が防止される。
【００４７】
また、折曲状延在部１２ａ１が、弾性ビーム状部材１２ａの根本部分に設けられていることから、当該弾性ビーム状部材１２ａの根本部分に発生しようとする応力集中が、折曲状延在部１２ａ１に向かって拡散されることとなり、第１コンタクト１２の応力分布がより均一な方向に改善される。特に、相手コネクタである検査用コネクタ２０のプローブ２０ａが第１コンタクト１２の弾性ビーム状部材１２ａに接触した際の応力が、第１コンタクト１２の固定延設片１２ｃの一部に集中することなく分散されるため、第１コンタクト１２の塑性変形が良好に防止される。
【００４８】
また、本実施形態においては、折曲状延在部１２ａ１の少なくとも一部に至るように貫通穴１２ａ３が形成されていることから、応力集中の拡散が貫通穴１２ａ３に沿うようにして更に良好に行われ、これによっても第１コンタクト１２の塑性変形の発生が確実に防止される。
【００４９】
一方、機外から内部に侵入した塵埃は、貫通穴１２ａ３を通して下方に落下されることから、電気的な導通性を良好に確保することが可能となる。
【００５０】
また、本実施形態においては、第１及び第２のコンタクト１２，１３の双方に設けられた固定延設片１２ｃ，１３ｃが、略水平方向に延在した状態で絶縁ハウジング１１に固定されているため、検査用プラグコネクタ２０に設けられたプローブ２０ａの挿入方向における第１及び第２のコンタクト１２，１３の支持性が向上されており、電気的接触部における位置精度が向上し、両コンタクト１２，１３の振れ安定性が改善されるとともに、検査用プラグコネクタ２０及び両コンタクト１２，１３同士の押圧力に対して、第１及び第２のコンタクト１２，１３の位置ズレが防止される。
【００５１】
［導電性シェルについて］
一方、上述した絶縁ハウジング１１の上面側表面には、薄板状の導電性部材からなる導電性シェル１４が上方側から覆うようにして装着されている。この導電性シェル１４は、絶縁ハウジング１１の上面側から挿入ガイド部１１ｂの外周面の一部を覆うように装着されているが、この導電性シェル１４が絶縁ハウジング１１の上面側表面を覆っている上面基板１４ａが平面略矩形状をなすように形成されている。
【００５２】
その導電性シェル１４における略矩形状をなす上面基板１４ａの中央部分には、上述した絶縁ハウジング１１の挿入ガイド部１１ｂを外方側から覆うグランド端子部１４ｂが略中空円筒状をなすようにして一体に設けられている。このグランド端子部１４ｂの外周表面には、円環状をなす固定係止溝１４ｃが凹設されており、その固定係止溝１４ｃに対して、前述した検査用プラグコネクタ２０の導電性シェルに設けられた係合突部２０ｂが嵌め込まれ、それによってスイッチ付同軸コネクタ１０に検査用プラグコネクタ２０が適宜の嵌合力で連結された状態に維持されるようになっている。
【００５３】
また、上述した導電性シェル１４の上面基板１４ａにおける略矩形状の四隅部分には、下方に向かって垂れ下がるように延在する基板接続部１４ｄがそれぞれ連設されている。それらの各基板接続部１４ｄは、上述した上面基板１４ａの端縁から下方に向かって、外方側にやや開くように傾斜して延在しており、上述した上面基板１４ａの端縁からコネクタ外方側に向かって斜め下方に張り出すように延出するテーパ状の傾斜壁面を有しているとともに、その傾斜壁面の下端部から、コネクタ内方に向かって略水平に突出する水平壁面からなる基板接続部１４ｆが連設されている。
【００５４】
それら４体の基板接続部１４ｄの先端部分を形成している半田接合片１４ｆのうち、上述したコンタクト対向方向に隣接する２体の半田接合片１４ｆ，１４ｆ同士は、一体的に連結されており、各基板接続部１４ｄが、図示を省略した配線基板上のグランド用導電路に半田接合されることによって、グランド接続が行われるとともに、スイッチ付同軸コネクタ１０の全体の保持が行われるようになっている。
【００５５】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００５６】
例えば、上述した実施形態においては、弾性ビーム状部材１２ａに設けられた貫通穴１２ａ３が、直線状延在部１２ａの湾曲形状の頂点Ｐ３まで延びているが、弾性ビーム状部材１２ａに必要とされる弾性を考慮して、直線状延在部１２ａの湾曲形状の頂点Ｐ３の手前又は越えた位置まで延びるように形成することも可能である。
【００５７】
また、上述した実施形態においては、第１コンタクトに貫通穴を設けているが、全体の配置関係に応じて第２コンタクトに貫通穴を設けるようにしても良い。
【００５８】
さらに、本発明は、上述した実施形態のような回路検査スイッチ以外の用途に用いられるスイッチ付同軸コネクタに対しても同様に適用可能である。
【産業上の利用可能性】
【００５９】
以上のように本発明は、各種電子・電気機器に使用される多種多様なスイッチ付同軸コネクタに対して広く適用することが可能である。
【符号の説明】
【００６０】
１０  スイッチ付同軸コネクタ
１１  絶縁ハウジング
１１ａ  ベース枠体部
１１ｂ  挿入ガイド部
１１ｃ  プローブ挿入穴（相手挿入穴）
１１ｄ  傾斜ガイド面
１１ｅ  コンタクト挿入通路
１２  第１コンタクト
１２ａ  弾性ビーム状部材
１２ａ１  折曲状延在部
１２ａ２  直線状延在部
１２ａ３  貫通穴
１２ｂ  固定基部
１２ｃ  固定延設片
１２ｄ  切欠き部
１２ｅ  基板接続部
１３  第２コンタクト
１３ａ  固定ビーム状部材
１３ｂ  固定基部
１３ｃ  固定延設片
１３ｄ  切欠き部
１３ｅ  基板接続部
１３ｆ  接点部
Ｐ１  前方側切欠き部の溝端
Ｐ２  後方側切欠き部の溝端
Ｐ３  折曲状延在部の頂点
Ｌ  固定基板の中実肉厚領域
１４  導電性シェル
１４ａ  上面基板
１４ｂ  グランド端子部
１４ｃ  固定係止溝
１４ｄ  基板接続部
１４ｆ  半田接合片
２０  検査用プラグコネクタ（相手コネクタ）
２０ａ  プローブ
２０ｂ  係合突部
【図１】
0005979407.tif 000002
【図２】
0005979407.tif 000003
【図３】
0005979407.tif 000004
【図４】
0005979407.tif 000005
【図５】
0005979407.tif 000006
【図６】
0005979407.tif 000007
【図７】
0005979407.tif 000008
【図８】
0005979407.tif 000009
【図９】
0005979407.tif 000010
【図１０】
0005979407.tif 000011
【図１１】
0005979407.tif 000012
【図１２】
0005979407.tif 000013
【図１３】
0005979407.tif 000014
【図１４】
0005979407.tif 000015
【図１５】
0005979407.tif 000016
【図１６】
0005979407.tif 000017
【図１７】
0005979407.tif 000018
【図１８】
0005979407.tif 000019
【図１９】
0005979407.tif 000020
【図２０】
0005979407.tif 000021
【図２１】
0005979407.tif 000022
【図２２】
0005979407.tif 000023
【図２３】
0005979407.tif 000024
【図２４】
0005979407.tif 000025
【図２５】
0005979407.tif 000026
【図２６】
0005979407.tif 000027
【図２７】
0005979407.tif 000028